(57)【要約】      （修正有）【課題】弾丸や空薬莢に実用品としての付加価値をつけて廃物利用するとともに、弾丸や空薬莢を装飾物として機能させることにより、需要者を拡大し、もって、さらなる資源の活用をはかることができる止め具を提供する。【解決手段】弾丸３が装着された空薬莢２よりなる本体部の後端部にネオジム磁石よりなる永久磁石４が装着されてなる。空薬莢２はライフル弾の空薬莢であり、空薬莢２よりなる本体部は、先端の開口部に弾丸３が嵌め込まれるとともに、後端面の雷管設置用の凹部２３に永久磁石４が嵌め込まれている。永久磁石４は、端面４１，４２が平坦な柱状体であり、端面４１が凹部２３の開口面に揃えられている。【選択図】図３
0003207054.tif 000002
【実用新案登録請求の範囲】
【請求項１】
弾丸または弾丸が装着された空薬莢よりなる本体部の後端部にネオジム磁石よりなる永久磁石が装着されてなる止め具。
【請求項２】
前記空薬莢はライフル弾の空薬莢であり、前記本体部は、空薬莢の先端の開口部に弾丸が嵌め込まれるとともに、後端面の雷管設置用の凹部に前記永久磁石が嵌め込まれている請求項１に記載の止め具。
【請求項３】
前記弾丸はライフル弾の弾丸であり、前記本体部は、弾丸の後端面に形成された凹部に前記永久磁石が嵌め込まれている請求項１に記載の止め具。
【請求項４】
前記永久磁石は、端面が平坦な柱状体であり、前記端面が前記凹部の開口面に揃えられている請求項２または３に記載の止め具。
【考案の詳細な説明】
【技術分野】
【０００１】
この考案は、スチール製品などの磁性板に吸着させて磁性板との間に紙片等を止める止め具に関し、この考案は特に、装飾機能を併せもつ止め具に関する。
【背景技術】
【０００２】
従来、止め具として、金属製や合成樹脂製の本体部の裏面にフェライト磁石よりなる永久磁石を嵌め込んだ構造のもの（例えば特許文献１参照）、前記本体部がクリップなどで構成されているものなど、実用性が重視された種々の態様のものが製品化されている。
【０００３】
一方、装飾性が重視されたものとして、例えば、エッフェル塔などの有名な建造物や風景をかたどった本体部の裏面にフェライト磁石よりなる永久磁石を接着した構造のものが市販されている。
【０００４】
ところで、軍用、狩猟用、スポーツ用としてライフル銃が用いられており、射撃場では、毎日多量の弾薬が消費され、多量の空薬莢が発生する。例えば、ライフル弾として用いられている金属製の弾薬は、図９に示すように、発射薬１０１が装填された薬莢１０２の後端部に雷管１０３が組み付けられ、薬莢１０２の先端部に弾丸１０４が嵌着されたものである。雷管１０３内の点火材が点火されると、発射薬１０１が燃焼し、燃焼時のガス圧で弾丸１０４が発射されるもので、空薬莢１０２が廃物として残る。資源の活用をはかるため、空薬莢に付加価値をつけて廃物利用するのが望ましく、出願人は、先般、空薬莢をファッションのための要素として生かすとともに、空薬莢に特定携行物を入れる物入れとしての機能を付加したものを提案した（例えば特許文献２の図８の実施例参照）。
【先行技術文献】
【特許文献】
【０００５】
【特許文献１】実開平６−５０３０７号
【特許文献２】実用新案登録第３１９９１３２号
【考案の概要】
【考案が解決しようとする課題】
【０００６】
しかし、上記した携帯用物入れは、身飾品としての要素が強く、ファッション性が重視される関係上、需要者が限られるという問題がある。さらなる資源の活用をはかるには、需要者の拡大をはかることが重要であり、そのために、空薬莢や弾丸に実用品としての付加価値をつけて廃物利用するのが望しいが、現在のところ、その種のものは殆ど提案されていない。
【０００７】
この考案は、弾丸や空薬莢に実用品としての付加価値をつけて廃物利用するとともに、弾丸や空薬莢を装飾物として機能させることにより、需要者を拡大し、もって、さらなる資源の活用をはかることを目的とする。
【課題を解決するための手段】
【０００８】
この考案による止め具は、弾丸または弾丸が装着された空薬莢よりなる本体部の後端部にネオジム磁石よりなる永久磁石が装着されてなるものである。
【０００９】
上記した止め具によると、磁性板の表面に永久磁石を吸着させたとき、本体部と磁性板との間に紙片などを止めることができ、実用上の機能が発揮される。また、弾丸や弾丸が装着された空薬莢は装飾物としても機能する。永久磁石はネオジム磁石よりなるから、磁性板上に本体部が強く磁気吸着され、脱落するおそれはない。
【００１０】
この考案の好ましい実施態様においては、前記空薬莢はライフル弾の空薬莢であり、前記本体部は、先端の開口部に弾丸が嵌め込まれるとともに、後端面の雷管設置用の凹部に前記永久磁石が嵌め込まれている。
【００１１】
この実施態様によると、磁性板の表面に永久磁石を吸着させたとき、磁性板上に弾丸が装着された空薬莢よりなる本体部が起立した姿勢となる。
【００１２】
この考案の他の好ましい実施態様においては、前記弾丸はライフル弾の弾丸であり、前記本体部は、弾丸の後端面に形成された凹部に前記永久磁石が嵌め込まれている。
【００１３】
この実施態様によると、磁性板の表面に永久磁石を吸着させたとき、磁性板上に弾丸よりなる本体部が起立した姿勢となる。
【００１４】
前記永久磁石の一実施形態は、端面が平坦な柱状体であり、前記端面が前記凹部の開口面に揃えられている。
【００１５】
この実施形態によると、磁性板の表面に永久磁石を吸着させたとき、永久磁石は凹部の開口面より突き出ていないので、本体部は磁性板上に安定した状態で支持される。
【考案の効果】
【００１６】
この考案によれば、弾丸や空薬莢に実用品としての付加価値をつけて廃物利用することができるうえ、弾丸や空薬莢を装飾物として機能させることもでき、需要者の拡大がはかられ、資源のさらなる活用をはかることができる。また、永久磁石としてネオジム磁石を用いるので、強い磁気吸着力が得られ、本体部が脱落するおそれがない。さらに、小さな永久磁石を用いることができるので、外観上目立たず、装飾機能を損なうことがない。
【図面の簡単な説明】
【００１７】
【図１】この考案の一実施例である止め具の外観を示す正面図である。
【図２】図１の実施例の側面図である。
【図３】図１の実施例を分解して示す一部を断面した正面図である。
【図４】本体部の後端部の断面図である。
【図５】この考案の他の実施例である止め具の外観を示す正面図である。
【図６】図５の実施例の側面図である。
【図７】図５の実施例を分解して示す一部を断面した正面図である。
【図８】本体部の後端部の断面図である。
【図９】ライフル弾の弾薬の構造を示す断面図である。
【考案を実施するための形態】
【００１８】
図１および図２は、この考案の一実施例であるライフル弾形状の止め具１の外観を示している。
図示例の止め具１は、ライフル弾の空薬莢２を加工したものとライフル弾の弾丸３とを用いて本体部５が製作されている。図示例の空薬莢２は真鍮製、弾頭３は銅製であるが、それ以外の材質のものであってもよい。  
【００１９】
空薬莢２は内部が中空であって径方向の断面形状が全長にわたり円形の筒状体である。空薬莢２の後端側には厚肉部２１が設けられ、先端側には径が絞られた小径部２２を有している。小径部２２の先端の開口部には弾丸３の後端部が嵌め込まれ、これにより本体部５が形成されている。弾丸３は先細の形状であり、内部は鉛芯部となっている。
【００２０】
空薬莢２の厚肉部２１の後端面には、図３および図４に示すように、雷管設置用の凹部２３が設けられている。この凹部２３と内部の中空部２５とは凹部２３の底を貫通する連通孔２４を介して連通している。
【００２１】
凹部２３にはネオジム磁石よりなる永久磁石４が緊密に嵌め込まれている。ネオジム磁石はネオジム、鉄、ボロンを主成分とした成形焼結品であり、ニッケルメッキにより表面処理が施されている。永久磁石４の外周面は凹部２３の内周面に接着剤により固着されている。永久磁石４は、両方の端面４１，４２が平坦な円柱状体であり、一方の端面４１が凹部２３の開口面に揃えられている。
【００２２】
図５および図６は、この考案の他の実施例である弾丸形状の止め具１の外観を示している。
図示例の止め具１は、ライフル弾の弾丸３を加工したものを用いて本体部６が製作されている。弾丸３の内部は図７に示すように鉛芯部３０となっており、後端面に穿孔加工が施されて凹部３１が形成されている。この弾丸３よりなる本体部６は、図８に示すように、後端面の凹部３１にネオジム磁石よりなる永久磁石４が緊密に嵌め込まれている。
【００２３】
永久磁石４は、両方の端面４１，４２が平坦な円柱状体であり、一方の端面４１が凹部３１の開口面に揃えられた状態で永久磁石４が凹部３１に嵌め込まれている。永久磁石４の外周面は凹部２３の内周面に接着剤により固着されている。
【００２４】
図１〜図４に示す実施例の止め具１は、黒板やホワイトボードなどの磁性板７の表面に永久磁石４を吸着させたとき、本体部５と磁性板７との間に紙片などを止めることができ、実用上の機能が発揮される。また、弾丸３が装着された空薬莢２は装飾物としても機能する。永久磁石４はネオジム磁石よりなるから、磁性板上７に本体部５が強く磁気吸着され、脱落するおそれはない。
【００２５】
磁性板７の表面に永久磁石４を吸着させたとき、磁性板７上に弾丸３が装着された空薬莢２よりなる本体部５が起立した姿勢となって磁性板７上に突き出るので、止め具１の磁性板７に対する着脱操作がきわめて容易である。
【００２６】
永久磁石４は、端面４１が凹部２３の開口面に揃えられているので、磁性板７の表面に永久磁石４を吸着させたとき、永久磁石４は凹部２３の開口面より突き出ず、本体部５は磁性板７上に安定した状態で支持される。
【００２７】
図５〜図８に示す実施例の止め具１は、磁性板７の表面に永久磁石４を吸着させたとき、磁性板７上に弾丸３よりなる本体部６が起立した姿勢となって止め具１が磁性板７上に突き出るので、止め具１の磁性板７に対する着脱操作がきわめて容易である。
【００２８】
永久磁石４は、端面４１が凹部３１の開口面に揃えられているので、磁性板７の表面に永久磁石４を吸着させたとき、永久磁石４は凹部３１の開口面より突き出ず、本体部６は磁性板７上に安定した状態で支持される。
【符号の説明】
【００２９】
１    止め具
２    空薬莢
３    弾丸
４    永久磁石
５，６    本体部
２３，３１  凹部
【図１】
0003207054.tif 000003
【図２】
0003207054.tif 000004
【図３】
0003207054.tif 000005
【図４】
0003207054.tif 000006
【図５】
0003207054.tif 000007
【図６】
0003207054.tif 000008
【図７】
0003207054.tif 000009
【図８】
0003207054.tif 000010
【図９】
0003207054.tif 000011